(57)【要約】      （修正有）【課題】画像の管理が容易な撮影装置及びその画像記録方法を提供する。【解決手段】最後の撮影から所定時間が経過すると、記憶メディアの記憶領域にフォルダが新規作成され、その新規作成されたフォルダに画像ファイルが格納される。これにより、撮影日付が変わった場合であっても、一定のスパンで撮影された画像については、同一フォルダに格納されるようになり、画像の管理が容易になる。【選択図】      図５
2005323079.tif 000002
【特許請求の範囲】
【請求項１】
現在日時を計時する計時手段と、撮影した画像データに撮影日時の情報を付加した画像ファイルを生成する画像ファイル生成手段と、記憶メディアの記憶領域にフォルダを作成し、該フォルダに前記画像ファイルを格納する記録制御手段と、を備えた撮影装置において、
最終の撮影日時の情報を取得する最終撮影日時取得手段と、
前記最終撮影日時取得手段で取得される最終の撮影日時の情報と前記計時手段で計時される現在日時の情報とに基づいて、最終の撮影からの経過時間を算出する経過時間演算手段と、
を備え、前記記録制御手段は、前記経過時間演算手段で算出された経過時間が、あらかじめ設定された経過時間を超えると、前記記憶メディアの記憶領域にフォルダを新規作成し、該フォルダに前記画像ファイルを格納することを特徴とする撮影装置。
【請求項２】
撮影した画像データに撮影日時の情報を付加した画像ファイルを生成し、該画像ファイルを記憶メディアの記憶領域に作成されたフォルダに格納する撮影装置の画像記録方法において、
最終の撮影からの経過時間を算出し、算出した経過時間が、あらかじめ設定された経過時間を超えているか否か判定し、最終の撮影からの経過時間が、あらかじめ設定された経過時間を超えている場合は、前記記憶メディアの記憶領域に前記画像ファイルを格納するためのフォルダを新規作成することを特徴とする撮影装置の画像記録方法。
【発明の詳細な説明】
【技術分野】
【０００１】
本発明は、撮影装置及びその画像記録方法に係り、特に記憶メディアの記憶領域に作成されたフォルダに画像ファイルを格納して管理する撮影装置及びその画像記録方法に関する。
【背景技術】
【０００２】
一般にデジタルカメラで撮影された画像は、撮影画像を示す画像データに所定の付属情報が付加された画像ファイルとして、メモリカード等の記憶メディアに記録される。この際、画像ファイルは、記憶メディアの記憶領域に作成されたフォルダに所定のファイル名が付与されて格納される。
【０００３】
しかしながら、単一のフォルダに画像ファイルを次々と格納してゆくと、撮影後の画像ファイルの管理が煩雑になるという問題があった。
【０００４】
そこで、特許文献１では、フォルダの作成日時を管理し、フォルダの作成日付と現在の日付とを比較して、日付が一致しない場合はフォルダを新規作成し、そのフォルダに撮影画像を記録することが提案されている。
【特許文献１】特開２００１−５４０４１号公報
【発明の開示】
【発明が解決しようとする課題】
【０００５】
ところで、画像を整理しようとする場合、旅行などで撮影した画像は、旅行ごとに分類して整理するのが一般的である。
【０００６】
しかしながら、特許文献１の方法では、日付ごとに画像が分類されるため、たとえば、一泊の予定で旅行をすると、１日目に撮影した画像と２日目に撮影した画像とが、それぞれ別のフォルダに格納されてしまい、後の整理が煩雑になるという欠点がある。
【０００７】
本発明は、このような事情に鑑みてなされたもので、画像の管理が容易な撮影装置及びその画像記録方法を提供することを目的とする。
【課題を解決するための手段】
【０００８】
請求項１に係る発明は、前記目的を達成するために、現在日時を計時する計時手段と、撮影した画像データに撮影日時の情報を付加した画像ファイルを生成する画像ファイル生成手段と、記憶メディアの記憶領域にフォルダを作成し、該フォルダに前記画像ファイルを格納する記録制御手段と、を備えた撮影装置において、最終の撮影日時の情報を取得する最終撮影日時取得手段と、前記最終撮影日時取得手段で取得される最終の撮影日時の情報と前記計時手段で計時される現在日時の情報とに基づいて、最終の撮影からの経過時間を算出する経過時間演算手段と、を備え、前記記録制御手段は、前記経過時間演算手段で算出された経過時間が、あらかじめ設定された経過時間を超えると、前記記憶メディアの記憶領域にフォルダを新規作成し、該フォルダに前記画像ファイルを格納することを特徴とする撮影装置を提供する。
【０００９】
また、請求項２に係る発明は、前記目的を達成するために、撮影した画像データに撮影日時の情報を付加した画像ファイルを生成し、該画像ファイルを記憶メディアの記憶領域に作成されたフォルダに格納する撮影装置の画像記録方法において、最終の撮影からの経過時間を算出し、算出した経過時間が、あらかじめ設定された経過時間を超えているか否か判定し、最終の撮影からの経過時間が、あらかじめ設定された経過時間を超えている場合は、前記記憶メディアの記憶領域に前記画像ファイルを格納するためのフォルダを新規作成することを特徴とする撮影装置の画像記録方法を提供する。
【００１０】
本発明によれば、最後の撮影から所定時間が経過すると、記憶メディアの記憶領域にフォルダが新規作成され、その新規作成されたフォルダに画像ファイルが格納される。これにより、撮影日付が変わった場合であっても、一定のスパンで撮影された画像については、同一フォルダに格納されるようになり、画像の管理が容易になる。
【発明の効果】
【００１１】
本発明に係る撮影装置及びその画像記録方法によれば、画像の管理を容易に行うことができる。
【発明を実施するための最良の形態】
【００１２】
以下、添付図面に従って本発明に係る撮影装置及びその画像記録方法を実施するための最良の形態について説明する。
【００１３】
図１、図２は、それぞれ本発明が適用されたデジタルカメラの正面斜視図と背面斜視図である。
【００１４】
同図に示すように、デジタルカメラ１０のカメラボディ１２は、横方向に細長く形成された矩形の箱状に形成されており、その正面には撮影レンズ１４、ファインダ窓１６、ストロボ１８、マイク２０等が設けられている。また、カメラボディ１２の上面には、シャッターボタン２２、電源／モードスイッチ２４、モードダイヤル２６等が設けられており、背面には、ファインダ接眼部２８、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられている。また、カメラボディ１２の側面には、ＵＳＢ端子４４、電源端子４６、ＡＶ出力端子４８が設けられており、図示しないカメラボディ１２の底面には、開閉自在なカバーを介してバッテリーを収納するためのバッテリー収納室と、メモリカードを装填するためのメモリカードスロットとが設けられている。
【００１５】
シャッターボタン２２は、いわゆる「半押し」と「全押し」とからなる２段ストローク式のスイッチで構成されている。デジタルカメラ１０は、このシャッターボタン２２を半押しすることにより、ＡＥ（Automatic Exposure：自動露出）、ＡＦ（Auto Focus：自動合焦）、ＡＷＢ（Automatic White Balance ：自動ホワイトバランス）が機能し、全押しすることにより撮影が行われる。
【００１６】
電源／モードスイッチ２４は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」の間をスライド自在に設けられている。デジタルカメラ１０は、この電源／モードスイッチ２４を「再生位置」又は「撮影位置」に合わせることにより、電源がＯＮになり、「ＯＦＦ位置」に合わせることにより、電源がＯＦＦになる。そして、電源／モードスイッチ２４を「再生位置」に合わせることにより、「再生モード」に設定され、「撮影位置」に合わせることにより、「撮影モード」に設定される。
【００１７】
モードダイヤル２６は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００１８】
液晶モニタ３０は、カラー表示が可能な液晶ディスプレイで構成されている。この液晶モニタ３０は、再生モード時に撮影済み画像を表示するための画像表示パネルとして利用されるとともに、各種設定時にユーザインターフェース表示パネルとして利用される。また、撮影時には必要に応じてスルー画像が表示されて、画角確認用の電子ファインダとして利用される。
【００１９】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００２０】
十字ボタン３４は、上下左右４方向に押圧操作することができるようにされており、各方向の指示を入力するボタンとして機能する。
【００２１】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００２２】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００２３】
図３はデジタルカメラ１０の電気系の構成を示すブロック図である。同図に示すように、デジタルカメラ１０は、ＣＰＵ１１０、操作部（シャッターボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、タイマ１２４、光学ユニット１２６、フォーカスモータドライバ１２８、ズームモータドライバ１３０、アイリスモータドライバ１３２、撮像素子１３４、タイミングジェネレータ（ＴＧ）１３６、アナログ処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、ＵＳＢインターフェース１５２、ＬＣＤ／ビデオエンコーダ１５４、ＯＳＤ回路１５６、ＡＥ／ＡＷＢ検出回路１５８、ＡＦ検出回路１６０、ストロボ制御回路１６２等で構成されている。
【００２４】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００２５】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００２６】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００２７】
タイマ１２４は現在日時を計時し、計時した現在日時をＣＰＵ１１０に出力する。ＣＰＵ１１０は、このタイマ１２４で計時される現在日時の情報に基づいて撮影日時等の日時情報を取得する。
【００２８】
光学ユニット１２６は、撮影レンズ１４と絞り５０とで構成されている。撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。絞り５０は、図示しないアイリスモータに駆動されることにより、開口量（絞り値）が変化する。ＣＰＵ１１０は、アイリスモータドライバ１３２を介してアイリスモータの駆動を制御することにより、絞り５０の絞り値を制御する。
【００２９】
撮像素子１３４は、カラーＣＣＤで構成されており、その受光面には多数のフォトダイオード（受光素子）が配列されている。光学ユニット１２６を介して撮像素子１３４の受光面に入射した光は、各フォトダイオードによって入射光量に応じた量の信号電荷に変換される。
【００３０】
タイミングジェネレータ（ＴＧ）１３６は、ＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００３１】
アナログ処理回路１３８は、撮像素子１３４から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅する。
【００３２】
Ａ／Ｄ変換器１４０は、アナログ処理回路１３８から出力されたＲ、Ｇ、Ｂのアナログの画像信号をそれぞれ１２ビットのデジタルの画像信号に変換する。
【００３３】
画像入力コントローラ１４２は、所定容量のラインバッファを内蔵し、Ａ／Ｄ変換器１４０から出力された１画像分の画像信号を蓄積して、メモリ１２０に格納する。
【００３４】
画像信号処理回路１４４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力されたデジタル画像信号に所要の信号処理を施して、画像データを生成する。
【００３５】
圧縮・伸張処理回路１４６は、ＣＰＵ１１０からの指令に従い、入力された画像データに圧縮処理を施し、所定フォーマットの圧縮画像データを生成する。また、入力された圧縮画像データに伸張処理を施し、非圧縮のデジタル画像データを生成する。
【００３６】
メディアコントローラ１４８は、ＣＰＵ１１０からの指令に従い、メディアスロットに装填された記憶メディア（メモリカード）１５０に対してデータの読み出し及び書き込みを制御する。
【００３７】
ＵＳＢインターフェース１５２は、ＣＰＵ１１０からの指令に従い、ＵＳＢ端子４４を介して接続された外部機器（パソコンやプリンタ等）との間でＵＳＢ規格に従った通信を行う。
【００３８】
ＬＣＤ／ビデオエンコーダ１５４は、ＣＰＵ１１０からの指令に従い、画像データが示す画像を液晶モニタ３０に表示するための信号を生成して、液晶モニタ３０に出力する。また、画像データが示す画像をテレビに表示するための信号（たとえば、ＮＴＳＣ信号やＰＡＬ信号、ＳＣＡＭ信号）を生成して、ＡＶ出力端子４８に出力する。
【００３９】
ＯＳＤ（On Screen Display ）回路１５６は、ＣＰＵ１１０からの指令に従って、液晶モニタ等の画面上に表示する文字や図形を示す信号をＬＣＤ／ビデオエンコーダ１５４に出力する。
【００４０】
ＡＥ／ＡＷＢ検出回路１５８は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割した各エリアごとにＲ、Ｇ、Ｂの画像信号の積算値を算出する。ＣＰＵ１１０は、このＡＥ／ＡＷＢ検出回路１５８から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００４１】
ＡＦ検出回路１６０は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１６０は、入力された画像信号から画像の鮮鋭度を示す焦点評価値を算出する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する。
【００４２】
ストロボ制御回路１６２は、ＣＰＵ１１０からの指令に従って、ストロボの発光を制御する。
【００４３】
次に、前記のごとく構成された本実施の形態のデジタルカメラ１０の撮影モード時の動作について説明する。
【００４４】
上記のように、デジタルカメラ１０は、カメラのモードを撮影モードに設定することにより、撮影が可能になる。この際、デジタルカメラ１０は、撮像素子１３４によって連続的に撮像される画像を液晶モニタ３０に表示させることにより、液晶モニタ３０をファインダとして使用することができる。
【００４５】
撮像素子１３４によって撮像された画像を液晶モニタ３０に表示する場合の処理は次のとおりである。
【００４６】
１回の撮像によって撮像素子１３４から出力された１画面分の画像信号は、アナログ処理回路１３８、Ａ／Ｄ変換器１４０を介して画像入力コントローラ１４２に取り込まれ、メモリ１２０に格納される。メモリ１２０に格納された１画面分の画像信号は、画像信号処理回路１４４に加えられ、輝度データ（Ｙ）と色差データ（Ｃｒ、Ｃｂ）とからなる画像データ（ＹＣデータ）に変換されたのち、メモリ１２０に格納される。そして、メモリ１２０からＶＲＡＭ１２２に転送され、ＶＲＡＭ１２２からＬＣＤ／ビデオエンコーダ１５４を介して液晶モニタ３０に出力される。これにより、１画面分の画像が液晶モニタ３０に表示される。
【００４７】
撮像素子１３４によって連続的に撮像した画像を液晶モニタ３０に出力する場合は、撮像素子１３４から連続的に出力される画像信号から生成される画像データによってＶＲＡＭ１２２内の画像データを定期的に書き換え、ＬＣＤ／ビデオエンコーダ１５４を介して液晶モニタ３０に出力する。これにより、撮像素子１３４によって連続的に撮像された動画像（スルー画像）が液晶モニタ３０に表示される。撮影者は、この液晶モニタ３０に表示されるスルー画像を見ることにより、液晶モニタ３０をファインダとして使用することができる。
【００４８】
さて、上記のようにデジタルカメラ１０は、シャッターボタン２２の半押しでＡＥ、ＡＦ、ＡＷＢが機能し、全押しで画像記録が行われる。
【００４９】
シャッターボタン２２が半押しされると、ＣＰＵ１１０にＳ１ＯＮ信号が入力され、このＳ１ＯＮ信号に応動して、ＣＰＵ１１０はＡＥ、ＡＦ、ＡＷＢの処理を実行する。
【００５０】
まず、Ｓ１ＯＮ信号に応動して撮像素子１３４から出力された画像信号が、アナログ処理回路１３８、Ａ／Ｄ変換器１４０を介して画像入力コントローラ１４２に取り込まれ、メモリ１２０に格納される。メモリ１２０に格納された画像信号は、ＡＥ／ＡＷＢ検出回路１５８並びにＡＦ検出回路１６０に加えられる。
【００５１】
上記のように、ＡＥ／ＡＷＢ検出回路１５８は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５８からの出力に基づき、絞り値とシャッタースピードを決定するとともに、ホワイトバランス補正値を決定する。
【００５２】
また、ＡＦ検出回路１６０は、入力された画像信号からＡＦ制御に必要な物理量を算出し、ＣＰＵ１１０に出力する。ＣＰＵ１１０は、このＡＦ検出回路１６０からの出力に基づきフォーカスモータドライバ１２８の駆動を制御し、フォーカスレンズ１４Ｆの移動を制御して、撮影レンズ１４のピントを主要被写体に合わせる。
【００５３】
この後、シャッターボタン２２が全押しされると、ＣＰＵ１１０にＳ２ＯＮ信号が入力され、このＳ２ＯＮ信号に応動して、ＣＰＵ１１０は画像の記録処理を実行する。
【００５４】
まず、上記のＡＥ処理で求めた絞り値、シャッタースピードで撮像素子１３４を露光し、記録用の画像信号の取り込みを行う。
【００５５】
撮像素子１３４から出力された画像信号は、アナログ処理回路１３８、Ａ／Ｄ変換器１４０を介して画像入力コントローラ１４２に取り込まれ、メモリ１２０に格納される。メモリ１２０に格納された画像信号は、ＣＰＵ１１０の制御の下、画像信号処理回路１４４に加えられ、輝度データと色差データとからなる画像データ（ＹＣデータ）に変換されて、メモリ１２０に格納される。メモリ１２０に格納された画像データは、圧縮・伸張処理回路１４６に加えられ、所定の圧縮フォーマット（ここでは、ＪＰＥＧ）に従って圧縮されたのち、メモリ１２０に格納される。
【００５６】
ＣＰＵ１１０は、メモリ１２０に格納された圧縮画像データに対して、図４に示すように、撮影日時や絞り値、シャッタースピードなどの付属情報を付加した所定フォーマット（たとえば、Ｅｘｉｆ）の画像ファイルを生成する。
【００５７】
生成された画像ファイルは、ＣＰＵ１１０による制御の下、メディアコントローラ１４８を介して記憶メディア（メモリカー）１５０の記憶領域に作成された所定のフォルダに格納される。
【００５８】
この際、ＣＰＵ１１０は、生成した画像ファイルを次の規則に従って記憶メディア１５０に記録する。すなわち、最後の撮影から一定時間が経過した場合は、新たなフォルダを作成し、そのフォルダに画像ファイルを格納する。以下、この画像ファイルの記録処理の手順を図５に示すフローチャートに従って説明する。
【００５９】
撮影モードの下、シャッターボタン２２が押下されて、撮影が行われると（ステップＳ１０）、ＣＰＵ１１０は撮影により得られた画像ファイルを記憶メディア１５０に記録する段階で記憶メディア１５０にアクセスし、記憶メディア１５０に最後に記録された画像ファイルの撮影日時の情報を取得する（ステップＳ１１）。
【００６０】
この際、ＣＰＵ１１０は、記憶メディア１５０の記憶領域に作成された最新のフォルダにアクセスし、そこに格納されている画像ファイルの撮影日時を読み出し、その中から最新の撮影日時を有する画像ファイルを最後に撮影された画像ファイルとして、最後に撮影された画像ファイルの撮影日時を取得する。
【００６１】
たとえば、図６に示すように、記憶メディア１５０の記憶領域に「ＤＣＩＭ」というフォルダ名のフォルダが作成され、その下位層に作成されたフォルダ（「１００＿ＦＵＪＩ」及び「１０１＿ＦＵＪＩ」）に画像ファイルが格納される場合、ＣＰＵ１１０は、最新のフォルダである「１０１＿ＦＵＪＩ」というフォルダに格納されている画像ファイル（ＤＳＣＦ０００１〜ＤＳＣＦ０００４）の撮影日時を読み出し、その中から最新の撮影日時を有する画像ファイル（ＤＳＣＦ０００４）を最後に撮影された画像ファイルとして、最後に撮影された画像ファイルの撮影日時を取得する。
【００６２】
なお、図６に示す例の場合、画像ファイルを格納するフォルダ（「ＤＣＩＭ」フォルダの下位層に作成されるフォルダ）には、「ＸＸＸ＿ＦＵＪＩ」というフォルダ名が付与され、作成した順に先頭３桁の数字（ＸＸＸ）が１００から１ずつ繰り上がってゆく。すなわち、一番最初に作成されるフォルダには「１００＿ＦＵＪＩ」というフォルダ名が付与され、次に作成されるフォルダには「１０１＿ＦＵＪＩ」、その次に作成されるフォルダには「１０２＿ＦＵＪＩ」というように、数値が１ずつ繰り上がったらファイル名が付与される。
【００６３】
次に、ＣＰＵ１１０は、タイマ１２４から現在日時を取得する（ステップＳ１２）。なお、この現在日時は撮影により得られた画像ファイルの撮影日時の情報を読み取って現在日時としてもよい。
【００６４】
次に、ＣＰＵ１１０は、取得した現在日時の情報と、最後に撮影された画像ファイルの撮影日時に情報とに基づいて、最後に行った撮影からの経過時間を算出する（ステップＳ１３）。
【００６５】
そして、算出した経過時間が、あらかじめ設定された規定時間を越えているか否か判定する（ステップＳ１４）。ここで、この規定時間は、フォルダを変えて画像ファイルを記録するか否かを判断する基準となる時間であり、あらかじめユーザが設定する。設定された規定時間の情報はＥＥＰＲＯＭ１１８に格納される。ＣＰＵ１１０は、このＥＥＰＲＯＭ１１８に格納されている規定時間の情報を読み出して、算出した経過時間が規定時間を越えているか否か判定する。
【００６６】
なお、規定時間の設定は、たとえば液晶モニタ３０に表示されるメニュー画面で行うものとし、設定メニューを呼び出すと、規定時間の設定を行うことができるものとする。また、ユーザが設定を行わない場合は、初期値として規定時間に４８時間（２日）が設定されるものとする。
【００６７】
この判定の結果、最後の撮影からの経過時間が規定時間を越えていないと判定すると、ＣＰＵ１１０は、そのまま記憶メディア１５０の記録領域に作成されている最新のフォルダに画像ファイルを格納する（ステップＳ１６）。たとえば、図６に示す例では「１０１＿ＦＵＪＩ」というフォルダ名のフォルダに格納される。
【００６８】
一方、最後の撮影からの経過時間が規定時間を越えていると判定すると、ＣＰＵ１１０は、記憶メディア１５０の記録領域にフォルダを新規作成し（ステップＳ１５）、その新規作成されたフォルダ（最新のフォルダ）に画像ファイルを格納する（ステップＳ１６）。たとえば、図６に示す例では、「ＤＣＩＭ」フォルダの下位層に「１０２＿ＦＵＪＩ」というフォルダ名のフォルダを新規作成し、そのフォルダ「１０２＿ＦＵＪＩ」に画像ファイルを格納する。
【００６９】
このように、本実施の形態のデジタルカメラ１０では、前回行った撮影から一定時間が経過すると、画像格納用のフォルダが新規に作成され、その新規作成されたフォルダに画像ファイルが自動で格納される。この結果、旅行など一定の時間内に連続して撮影される画像ファイルが、同じフォルダに格納されるため、撮影後の画像管理を容易に行うことができる。
【００７０】
なお、上記実施の形態では、画像ファイルの記録時に新規フォルダの作成の要否を判定しているが、次のように撮影モードに設定した際、新規フォルダの作成の要否を判定してもよい。
【００７１】
図７は、撮影モード設定時に新規フォルダを作成する場合の処理の手順を示すフローチャートである。
【００７２】
撮影モードに設定されると（ステップＳ２０）、ＣＰＵ１１０は、記憶メディア１５０にアクセスし、記憶メディア１５０に最後に記録された画像ファイルの撮影日時の情報を取得する（ステップＳ２１）。次に、ＣＰＵ１１０は、タイマ１２４から現在日時を取得し（ステップＳ２２）、取得した現在日時の情報と、最後に撮影された画像ファイルの撮影日時に情報とに基づいて、最後に行った撮影からの経過時間を算出する（ステップＳ２３）。そして、算出した経過時間が、あらかじめ設定された規定時間を越えているか否か判定する（ステップＳ２４）。
【００７３】
判定の結果、最後の撮影からの経過時間が規定時間を越えていない場合は、ステップ２６に進み、最後の撮影からの経過時間が規定時間を越えている場合は、ステップ２５に進んで、記憶メディア１５０の記録領域にフォルダを新規作成する（ステップＳ２５）。
【００７４】
この後、撮影が行われると（ステップＳ２６）、ＣＰＵ１１０は、撮影によって得られた画像ファイルを最新のフォルダに格納する（ステップＳ２７）。
【００７５】
このように、本例の場合においても、一定の時間内に連続して撮影される画像ファイルが、同じフォルダに格納されるため、撮影後の画像管理を容易に行うことができる。
【００７６】
なお、上記実施の形態では、最後に撮影された画像ファイルの撮影日時を取得する方法として、記憶メディアに記録されている画像ファイルの撮影日時を読み出し、読み出した中から最も新しい撮影日時を最後に撮影された画像ファイルの撮影日時として取得しているが、最後に撮影された画像ファイルの撮影日時を取得する方法は、これに限定されるものではない。たとえば、撮影すると、その撮影日時の情報をＥＥＰＲＯＭに書き込むように設定し、撮影のたびに、その情報を更新するように設定する。これにより、ＥＥＰＲＯＭには常に最後に撮影された撮影日時の情報が記録されるので、このＥＥＰＲＯＭに記録され撮影日時の情報を取得することにより、最後に撮影された撮影日時を取得することができる。
【００７７】
また、上記実施の形態では、最後の撮影からの経過時間に基づいて新規フォルダの作成の有無を判定しているが、最後の撮影からの経過日数に基づいて新規フォルダの作成の有無を判定するようにしてもよい。
【００７８】
さらに、上記実施の形態では、静止画の画像ファイルを記録する場合を例に説明したが、動画を撮影できるカメラにあっては、撮影された動画の画像ファイルも同様の処理で記憶メディアに記録されるものとする。
【００７９】
また、上記実施の形態では、本発明をデジタルカメラに適用した場合を例に説明したが、本発明は、上記のデジタルカメラの他、ビデオカメラやカメラ付携帯電話等、撮影した画像をデジタルデータとして記録する撮影機器全般に適用することができる。
【図面の簡単な説明】
【００８０】
【図１】本発明が適用されたデジタルカメラの正面斜視図
【図２】本発明が適用されたデジタルカメラの背面斜視図
【図３】デジタルカメラの電気系の構成を示すブロック図
【図４】画像ファイルの構成を示す図
【図５】画像ファイルの記録処理の手順を示すフローチャート
【図６】記憶メディアの記憶領域に作成されるフォルダ構造を示す図
【図７】撮影モード設定時に新規フォルダを作成する場合の処理の手順を示すフローチャート
【符号の説明】
【００８１】
１０…デジタルカメラ、１２…カメラボディ、１４…撮影レンズ、１６…ファインダ窓、１８…ストロボ、２０…マイク、２２…シャッターボタン、２４…電源／モードスイッチ、２６…モードダイヤル、２８…ファインダ接眼部、３０…液晶モニタ、３２…ズームボタン、３４…十字ボタン、３６…ＭＥＮＵ／ＯＫボタン、３８…ＤＩＳＰボタン、４０…ＢＡＣＫボタン、４２…スピーカ、４４…ＵＳＢ端子、４６…電源端子、４８…ＡＶ出力端子、５０…絞り、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…タイマ、１２６…光学ユニット、１２８…フォーカスモータドライバ、１３０…ズームモータドライバ、１３２…アイリスモータドライバ、１３４…撮像素子、１３６…タイミングジェネレータ（ＴＧ）、１３８…アナログ処理回路、１４０…Ａ／Ｄ変換器、１４２…画像入力コントローラ、１４４…画像信号処理回路、１４６…圧縮・伸張処理回路、１４８…メディアコントローラ、１５０…記憶メディア（メモリカード）、１５２…ＵＳＢインターフェース、１５４…ＬＣＤ／ビデオエンコーダ、１５６…ＯＳＤ回路、１５８…ＡＥ／ＡＷＢ検出回路、１６０…ＡＦ検出回路、１６２…ストロボ制御回路
【図１】
2005323079.tif 000003
【図２】
2005323079.tif 000004
【図３】
2005323079.tif 000005
【図４】
2005323079.tif 000006
【図５】
2005323079.tif 000007
【図６】
2005323079.tif 000008
【図７】
2005323079.tif 000009